【手続補正書】
【提出日】平成30年8月27日(2018.8.27)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信の方法であって、
初期アクセス手順に基づいてセルとの接続を確立することと、
前記セルからダウンリンク信号を受信することと、前記ダウンリンク信号は、直交周波数分割多元接続（ＯＦＤＭＡ）信号またはシングルキャリア周波数分割多元接続（ＳＣ−ＦＤＭＡ）信号を備え、前記ダウンリンク信号はさらに、第１のサイクリックプレフィクスを備え、
前記受信されるダウンリンク信号の到着時間を推定することと、
前記受信されるダウンリンク信号の前記推定された到着時間に基づいて、前記セルへのアップリンク信号のための送信シンボル時間を決定することと、
前記セルへ前記アップリンク信号を送信することと、ここにおいて、前記アップリンク信号は、前記第２のサイクリックプレフィクスを有するＯＦＤＭＡ信号またはＳＣ−ＦＤＭＡ信号のうちの１つであり、前記第２のサイクリックプレフィクスは、前記第１のサイクリックプレフィクスとは異なる長さを有し、
を備える、方法。
【請求項２】
前記ダウンリンク信号のサブキャリア間隔は、前記アップリンク信号のサブキャリア間隔とは異なる、請求項１に記載の方法。
【請求項３】
前記アップリンク信号は、ペイロードデータトラフィックを含む、請求項１に記載の方法。
【請求項４】
前記第２のサイクリックプレフィクスの長さは、前記第１のサイクリックプレフィクスの長さよりも長い、請求項１に記載の方法。
【請求項５】
前記第２のサイクリックプレフィクスの前記長さは、前記第１のサイクリックプレフィクスの前記長さの少なくとも２倍の長さである、請求項４に記載の方法。
【請求項６】
前記ダウンリンク信号のサブキャリア間隔は、前記アップリンク信号のサブキャリア間隔よりも大きい、請求項１に記載の方法。
【請求項７】
前記ダウンリンク信号の前記サブキャリア間隔は、前記アップリンク信号の前記サブキャリア間隔の少なくとも２倍の大きさである、請求項６に記載の方法。
【請求項８】
前記セルへの前記アップリンク信号の前記送信のためのリソースの割当を受信することをさらに備え、
ここにおいて、前記アップリンク信号の前記送信は、前記アップリンク信号の前記送信のために割り当てられた前記リソースの少なくとも半分を備える拡張サイクリックプレフィクスを含むアップリンクシンボル上で、第１のデータの送信を送信すること、を備える、請求項１に記載の方法。
【請求項９】
前記ＵＥと前記セルとの間の通信のための往復遅延を考慮するために、前記アップリンク信号を同期させること、をさらに備える、請求項１に記載の方法。
【請求項１０】
マシンタイプ通信（ＭＴＣ）手順に基づいてネットワークとデータを交換すること、をさらに備える、請求項１に記載の方法。
【請求項１１】
ユーザ機器（ＵＥ）におけるワイヤレス通信のための装置であって、
初期アクセス手順に基づいてセルとの接続を確立するための手段と、
前記セルからダウンリンク信号を受信するための手段と、前記ダウンリンク信号は、直交周波数分割多元接続（ＯＦＤＭＡ）信号またはシングルキャリア周波数分割多元接続（ＳＣ−ＦＤＭＡ）信号を備え、前記ダウンリンク信号はさらに、第１のサイクリックプレフィクスを備え、
前記受信されるダウンリンク信号の到着時間を推定するための手段と、
前記受信されるダウンリンク信号の前記推定された到着時間に基づいて、前記セルへのアップリンク信号のための送信シンボル時間を決定するための手段と、
前記セルへ前記アップリンク信号を送信するための手段と、ここにおいて、前記アップリンク信号は、前記第２のサイクリックプレフィクスを有するＯＦＤＭＡ信号またはＳＣ−ＦＤＭＡ信号のうちの１つであり、前記第２のサイクリックプレフィクスは、前記第１のサイクリックプレフィクスとは異なる長さを有し、
を備える、装置。
【請求項１２】
前記ダウンリンク信号のサブキャリア間隔は、前記アップリンク信号のサブキャリア間隔とは異なる、請求項１１に記載の装置。
【請求項１３】
前記アップリンク信号は、ペイロードデータトラフィックを含む、請求項１１に記載の装置。
【請求項１４】
前記第２のサイクリックプレフィクスの長さは、前記第１のサイクリックプレフィクスの長さよりも長い、請求項１１に記載の装置。
【請求項１５】
ユーザ機器（ＵＥ）におけるワイヤレス通信のためのコードを記憶する非一時的なコンピュータ読取可能な媒体であって、前記コードは、請求項１乃至１０のうちのいずれか一項に記載の方法の全てのステップを行うために実行可能な命令を備える、非一時的なコンピュータ読取可能な媒体。
【手続補正２】
【補正対象書類名】明細書
【補正対象項目名】００９９
【補正方法】変更
【補正の内容】
【００９９】
[0109]本明細書において説明された技法は、符号分割多元接続（ＣＤＭＡ）、時分割多元接続（ＴＤＭＡ）、周波数分割多元接続（ＦＤＭＡ）、ＯＦＤＭＡ、ＳＣ−ＦＤＭＡ、および他のシステムのような様々なワイヤレス通信システムのために使用され得る。「システム」および「ネットワーク」という用語は、しばしば置換可能に使用される。ＣＤＭＡシステムは、ＣＤＭＡ２０００、ユニバーサル地上無線アクセス（ＵＴＲＡ）等のような無線技術をインプリメントし得る。ＣＤＭＡ２０００は、ＩＳ−２０００規格、ＩＳ−９５規格、およびＩＳ−８５６規格をカバーする。ＩＳ−２０００リリース０およびＡは、一般に、ＣＤＭＡ２０００  １Ｘ、１Ｘ等と称される。ＩＳ−８５６（ＴＩＡ−８５６）は、一般に、ＣＤＭＡ２０００  １ｘＥＶ−ＤＯ、高レートパケットデータ（ＨＲＰＤ）等と称される。ＵＴＲＡは、広帯域ＣＤＭＡ（ＷＣＤＭＡ（登録商標））、およびＣＤＭＡの他の変形を含む。ＴＤＭＡシステムは、たとえばモバイル通信のためのグローバルシステム（ＧＳＭ（登録商標））のような無線技術をインプリメントし得る。ＯＦＤＭＡシステムは、ウルトラモバイルブロードバンド（ＵＭＢ）、エボルブドＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュ−ＯＦＤＭ等のような無線技術をインプリメントし得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するユニバーサルモバイルテレコミュニケーションシステム（ＵＭＴＳ）の新たなリリースである。ＵＴＲＡ、Ｅ−ＵＴＲＡ、ＵＭＴＳ、ＬＴＥ、ＬＴＥ−Ａ、およびモバイル通信のためのグローバルシステム（ＧＳＭ）は、「第３世代パートナーシップ計画」（３ＧＰＰ）という名称の団体からの文書に説明されている。ＣＤＭＡ２０００およびＵＭＢは、「第３世代パートナーシップ計画２」（３ＧＰＰ２）という名称の団体からの文書に説明されている。本明細書において説明された技法は、上述したシステムおよび無線技術のためのみならず、他のシステムおよび無線技術のためにも使用され得る。しかしながら、上記の説明は、例の目的のためにＬＴＥシステムを説明しており、上記の説明の多くでＬＴＥ専門用語が使用されるが、この技法は、ＬＴＥアプリケーションを超えて適用可能である。
以下に本願の出願当初の特許請求の範囲に記載された発明を付記する。
［Ｃ１］
ユーザ機器（ＵＥ）におけるワイヤレス通信の方法であって、
初期アクセス手順に基づいてセルとの接続を確立することと、
前記セルからダウンリンク信号を受信することと、前記ダウンリンク信号は、直交周波数分割多元接続（ＯＦＤＭＡ）信号またはシングルキャリア周波数分割多元接続（ＳＣ−ＦＤＭＡ）信号を備え、前記ダウンリンク信号はさらに、第１のサイクリックプレフィクスを備え、
前記セルへアップリンク信号を送信することと、ここにおいて、前記アップリンク信号は、第２のサイクリックプレフィクスを有するＯＦＤＭＡ信号またはＳＣ−ＦＤＭＡ信号のうちの１つであり、前記第２のサイクリックプレフィクスは、前記第１のサイクリックプレフィクスとは異なる長さを有し、
を備える、方法。
［Ｃ２］
前記ダウンリンク信号のサブキャリア間隔は、前記アップリンク信号のサブキャリア間隔とは異なる、Ｃ１に記載の方法。
［Ｃ３］
前記アップリンク信号は、ペイロードデータトラフィックを含む、Ｃ１に記載の方法。
［Ｃ４］
前記受信されるダウンリンク信号の到着時間を推定することと、
前記受信されるダウンリンク信号の前記推定された到着時間に基づいて、前記セルへの前記アップリンク信号のための送信シンボル時間を決定することと、
をさらに備える、Ｃ１に記載の方法。
［Ｃ５］
前記第２のサイクリックプレフィクスの長さは、前記第１のサイクリックプレフィクスの長さよりも長い、Ｃ１に記載の方法。
［Ｃ６］
前記第２のサイクリックプレフィクスの前記長さは、前記第１のサイクリックプレフィクスの前記長さの少なくとも２倍の長さである、Ｃ５に記載の方法。
［Ｃ７］
前記ダウンリンク信号のサブキャリア間隔は、前記アップリンク信号のサブキャリア間隔よりも大きい、Ｃ１に記載の方法。
［Ｃ８］
前記ダウンリンク信号の前記サブキャリア間隔は、前記アップリンク信号の前記サブキャリア間隔の少なくとも２倍の大きさである、Ｃ７に記載の方法。
［Ｃ９］
前記セルへの前記アップリンク信号の前記送信のためのリソースの割当を受信することをさらに備え、
ここにおいて、前記アップリンク信号の前記送信は、前記アップリンク信号の前記送信のために割り当てられた前記リソースの少なくとも半分を備える拡張サイクリックプレフィクスを含むアップリンクシンボル上で、第１のデータの送信を送信すること、を備える、Ｃ１に記載の方法。
［Ｃ１０］
前記ＵＥと前記セルとの間の通信のための往復遅延を考慮するために、前記アップリンク信号を同期させること、をさらに備える、Ｃ１に記載の方法。
［Ｃ１１］
マシンタイプ通信（ＭＴＣ）手順に基づいてネットワークとデータを交換すること、をさらに備える、Ｃ１に記載の方法。
［Ｃ１２］
ユーザ機器（ＵＥ）におけるワイヤレス通信のための装置であって、
初期アクセス手順に基づいてセルとの接続を確立するための手段と、
前記セルからダウンリンク信号を受信するための手段と、前記ダウンリンク信号は、直交周波数分割多元接続（ＯＦＤＭＡ）信号またはシングルキャリア周波数分割多元接続（ＳＣ−ＦＤＭＡ）信号を備え、前記ダウンリンク信号はさらに、第１のサイクリックプレフィクスを備え、
前記セルへアップリンク信号を送信するための手段と、ここにおいて、前記アップリンク信号は、第２のサイクリックプレフィクスを有するＯＦＤＭＡ信号またはＳＣ−ＦＤＭＡ信号のうちの１つであり、前記第２のサイクリックプレフィクスは、前記第１のサイクリックプレフィクスとは異なる長さを有し、
を備える、装置。
［Ｃ１３］
前記ダウンリンク信号のサブキャリア間隔は、前記アップリンク信号のサブキャリア間隔とは異なる、Ｃ１２に記載の装置。
［Ｃ１４］
前記アップリンク信号は、ペイロードデータトラフィックを含む、Ｃ１２に記載の装置。
［Ｃ１５］
前記受信されるダウンリンク信号の到着時間を推定するための手段と、
前記受信されるダウンリンク信号の前記推定された到着時間に基づいて、前記セルへの前記アップリンク信号のための送信シンボル時間を決定するための手段と、
をさらに備える、Ｃ１２に記載の装置。
［Ｃ１６］
前記第２のサイクリックプレフィクスの長さは、前記第１のサイクリックプレフィクスの長さよりも長い、Ｃ１２に記載の装置。
［Ｃ１７］
前記第２のサイクリックプレフィクスの前記長さは、前記第１のサイクリックプレフィクスの前記長さの少なくとも２倍の長さである、Ｃ１６に記載の装置。
［Ｃ１８］
前記ダウンリンク信号のサブキャリア間隔は、前記アップリンク信号のサブキャリア間隔よりも大きい、Ｃ１２に記載の装置。
［Ｃ１９］
前記ダウンリンク信号の前記サブキャリア間隔は、前記アップリンク信号の前記サブキャリア間隔の少なくとも２倍の大きさである、Ｃ１８に記載の装置。
［Ｃ２０］
前記セルへの前記アップリンク信号の前記送信のためのリソースの割当を受信するための手段をさらに備え、
ここにおいて、前記アップリンク信号の送信のための前記手段は、前記アップリンク信号の前記送信のために割り当てられた前記リソースの少なくとも半分を備える拡張サイクリックプレフィクスを含むアップリンクシンボル上で、第１のデータの送信を送信するための手段、を備える、Ｃ１２に記載の装置。
［Ｃ２１］
前記ＵＥと前記セルとの間の通信のための往復遅延を考慮するために、前記アップリンク信号を同期させるための手段、をさらに備える、Ｃ１２に記載の装置。
［Ｃ２２］
マシンタイプ通信（ＭＴＣ）手順に基づいてネットワークとデータを交換するための手段、をさらに備える、Ｃ１２に記載の装置。
［Ｃ２３］
ユーザ機器（ＵＥ）におけるワイヤレス通信のための装置であって、
プロセッサと、
前記プロセッサと電気通信するメモリと、
前記メモリに記憶された命令と、
を備え、ここにおいて、前記命令は、
初期アクセス手順に基づいてセルとの接続を確立することと、
前記セルからダウンリンク信号を受信することと、前記ダウンリンク信号は、直交周波数分割多元接続（ＯＦＤＭＡ）信号またはシングルキャリア周波数分割多元接続（ＳＣ−ＦＤＭＡ）信号を備え、前記ダウンリンク信号はさらに、第１のサイクリックプレフィクスを備え、
前記セルへアップリンク信号を送信することと、ここにおいて、前記アップリンク信号は、第２のサイクリックプレフィクスを有するＯＦＤＭＡ信号またはＳＣ−ＦＤＭＡ信号のうちの１つであり、前記第２のサイクリックプレフィクスは、前記第１のサイクリックプレフィクスとは異なる長さを有し、
を行うために前記プロセッサによって実行可能である、装置。
［Ｃ２４］
前記ダウンリンク信号のサブキャリア間隔は、前記アップリンク信号のサブキャリア間隔とは異なる、Ｃ２３に記載の装置。
［Ｃ２５］
前記命令はさらに、
前記セルへの前記アップリンク信号の前記送信のためのリソースの割当を受信するために前記プロセッサによって実行可能であり、
ここにおいて、前記アップリンク信号を送信するための前記命令は、
前記アップリンク信号の前記送信のために割り当てられた前記リソースの少なくとも半分を備える拡張サイクリックプレフィクスを含むアップリンクシンボル上で、第１のデータの送信を送信するための命令、を備える、Ｃ２３に記載の装置。
［Ｃ２６］
前記命令はさらに、
前記ＵＥと前記セルとの間の通信のための往復遅延を考慮するために、前記アップリンク信号を同期させるために前記プロセッサによって実行可能である、Ｃ２３に記載の装置。
［Ｃ２７］
ユーザ機器（ＵＥ）におけるワイヤレス通信のためのコードを記憶する非一時的なコンピュータ読取可能な媒体であって、前記コードは、
初期アクセス手順に基づいてセルとの接続を確立することと、
前記セルからダウンリンク信号を受信することと、前記ダウンリンク信号は、直交周波数分割多元接続（ＯＦＤＭＡ）信号またはシングルキャリア周波数分割多元接続（ＳＣ−ＦＤＭＡ）信号を備え、前記ダウンリンク信号はさらに、第１のサイクリックプレフィクスを備え、
前記セルへアップリンク信号を送信することと、ここにおいて、前記アップリンク信号は、第２のサイクリックプレフィクスを有するＯＦＤＭＡ信号またはＳＣ−ＦＤＭＡ信号のうちの１つであり、前記第２のサイクリックプレフィクスは、前記第１のサイクリックプレフィクスとは異なる長さを有し、
を行うために実行可能な命令を備える、非一時的なコンピュータ読取可能な媒体。
［Ｃ２８］
前記ダウンリンク信号のサブキャリア間隔は、前記アップリンク信号のサブキャリア間隔とは異なる、Ｃ２７に記載の非一時的なコンピュータ読取可能な媒体。
［Ｃ２９］
前記命令はさらに、
前記セルへの前記アップリンク信号の前記送信のためのリソースの割当を受信するために実行可能であり、
ここにおいて、前記アップリンク信号を送信するための前記命令は、
前記アップリンク信号の前記送信のために割り当てられた前記リソースの少なくとも半分を備える拡張サイクリックプレフィクスを含むアップリンクシンボル上で、第１のデータの送信を送信するための命令、を備える、Ｃ２７に記載の非一時的なコンピュータ読取可能な媒体。
［Ｃ３０］
前記命令はさらに、
前記ＵＥと前記セルとの間の通信のための往復遅延を考慮するために、前記アップリンク信号を同期させるために実行可能である、Ｃ２７に記載の非一時的なコンピュータ読取可能な媒体。